(57)【要約】【課題】  縦位置のときに、天側寄りにある主要被写体の捕捉率を向上させ、撮影画面の地側に近い被写体にピントが合うのを避けることができるカメラの提供。【解決手段】  カメラが縦位置である場合には、撮影画面３０内における焦点検出領域３１の地側境界３１Ａを天側に距離Ｌ１だけ移動させて地側境界６１Ａとするとともに、焦点検出領域３１の天側境界３１Ｂを天側に距離Ｌ２だけ移動させて天側境界６１Ｂとし、変更後の焦点検出領域６１の大きさが変更前の大きさ以上となるようにした。その結果、天側寄りにある主要被写体の捕捉率を向上させ、撮影画面の地側に近い被写体にピントが合うのを避けることができる。【選択図】        図１１
2006138899.tif 000002
【特許請求の範囲】
【請求項１】
カメラの姿勢を検出する姿勢検出手段と、
撮影画面内に設定され、焦点調節状態の検出が行われる被写界領域を示す焦点検出領域と、
前記焦点検出領域に位置する被写体に対する焦点調節状態を検出する焦点検出手段と、
前記姿勢検出手段がカメラが縦位置であることを検出すると、前記撮影画面内における前記焦点検出領域の地側の範囲を規定する境界を前記撮影画面の天側に移動させるとともに、前記焦点検出領域の天側の範囲を規定する境界を前記撮影画面の天側に移動させて、変更後の前記焦点検出領域の大きさが変更前の大きさ以上となるように前記撮影画面内における前記焦点検出領域の範囲を変更する変更手段とを備えたことを特徴とするカメラ。
【請求項２】
請求項１に記載のカメラにおいて、
前記変更手段は、前記焦点検出領域の大きさを変更前の大きさに維持して、前記撮影画面内のおける前記焦点検出領域の位置を前記撮影画面の天側に所定量移動させることを特徴とするカメラ。
【請求項３】
請求項１または２に記載のカメラにおいて、
前記焦点検出領域を複数有することを特徴とするカメラ。
【請求項４】
請求項２または３に記載のカメラにおいて、
前記焦点検出領域の大きさに応じて前記所定量を設定することを特徴とするカメラ。
【発明の詳細な説明】
【技術分野】
【０００１】
本発明は、カメラの姿勢に応じて焦点検出領域を変更するカメラに関する。
【背景技術】
【０００２】
撮影画面の長手方向に焦点検出領域が広がった自動焦点検出式カメラでは、カメラの姿勢を縦位置とした縦位置撮影において、縦方向に長い焦点検出領域で焦点検出を行うことになる。縦位置撮影では、主要被写体よりも近くに存在する撮影画面下側の被写体にピントがあってしまう問題があるが、このような不都合を避けるために、撮影画面の下方領域を除く領域にある焦点検出領域を用いて自動合焦を行うカメラが提案されている（例えば、特許文献１参照）。
【０００３】
【特許文献１】特開２００３−２５５２１６号公報
【発明の開示】
【発明が解決しようとする課題】
【０００４】
しかしながら、上述した従来技術では下方領域にある焦点検出領域を使用しないようにしているので、焦点検出領域全体の大きさが小さくなる。その結果、主要被写体に焦点検出領域がかからなくなる場合が生じ、主要被写体の焦点検出ができなくなるおそれがあった。
【課題を解決するための手段】
【０００５】
請求項１の発明によるカメラは、カメラの姿勢を検出する姿勢検出手段と、撮影画面内に設定され、焦点調節状態の検出が行われる被写界領域を示す焦点検出領域と、焦点検出領域に位置する被写体に対する焦点調節状態を検出する焦点検出手段と、姿勢検出手段がカメラが縦位置であることを検出すると、撮影画面内における焦点検出領域の地側の範囲を規定する境界を撮影画面の天側に移動させるとともに、焦点検出領域の天側の範囲を規定する境界を撮影画面の天側に移動させて、変更後の焦点検出領域の大きさが変更前の大きさ以上となるように撮影画面内における焦点検出領域の範囲を変更する変更手段とを備えたことを特徴とする。
請求項２の発明は、請求項１に記載のカメラにおいて、変更手段は、焦点検出領域の大きさを変更前の大きさに維持して、撮影画面内のおける焦点検出領域の位置を撮影画面の天側に所定量移動させるようにしたものである。
請求項３の発明は、請求項１または２に記載のカメラにおいて、焦点検出領域を複数有するものである。
請求項４の発明は、請求項２または３に記載のカメラにおいて、焦点検出領域の大きさに応じて所定量を設定するようにしたものである。
【発明の効果】
【０００６】
本発明によれば、姿勢検出手段がカメラが縦位置であることを検出すると、撮影画面内における焦点検出領域の地側の範囲を規定する境界を撮影画面の天側に移動させるとともに、焦点検出領域の天側の範囲を規定する境界を撮影画面の天側に移動させて、変更後の焦点検出領域の大きさが変更前の大きさ以上となるように撮影画面内における焦点検出領域の範囲を変更するようにしたので、天側寄りにある主要被写体の捕捉率を向上させ、撮影画面の地側に近い被写体にピントが合うのを避けることができる。
【発明を実施するための最良の形態】
【０００７】
以下、図を参照して本発明を実施するための最良の形態を説明する。図１は、本発明によるカメラの一実施の形態を説明する図である。図１はオートフォーカス（ＡＦ）電子カメラの要部構成を示すブロック図であり、電子カメラは、撮影レンズ１と、撮像素子２と、Ａ／Ｄ変換器３と、メモリ４と、画像処理回路５と、コントロール回路８と、ＣＰＵ１２と、モータ１３と、フォーカス制御機構１４と、姿勢検出回路１５を有する。
【０００８】
撮影レンズ１はフォーカスレンズを含んでおり、単一焦点距離（固定焦点）のレンズでも良いし、ズームレンズやステップズームレンズのように焦点可変のものでも良い。フォーカスレンズは、撮影レンズ１を通過した被写体光による像が撮像素子２の撮像面上に結像するように、焦点位置を調節するレンズである。モータ１３がフォーカス制御機構１４を駆動することにより、フォーカス制御機構１４がフォーカスレンズを光軸方向に進退移動させる。モータ１３は、ＣＰＵ１２から出力されるレンズ駆動信号によって駆動される。
【０００９】
撮像素子２は、たとえば、二次元ＣＣＤイメージセンサなどによって構成される。撮像素子２は、撮像面上の被写体像を撮像し、各画素に対応する撮像信号を出力する。撮像素子２から出力される撮像信号は、各画素に入射される光の強さに応じてその信号レベルが異なる。本実施形態では撮像素子２としてＣＣＤ撮像素子を用いているが、ＣＣＤの代わりにＭＯＳセンサやＣＩＤなどを用いて構成してもよい。コントロール回路８は、撮像素子２に対するタイミング信号を生成して撮像素子２へ送出する。なお、撮像素子２は、シャッターゲートパルスによって各画素センサに蓄積される電荷の蓄積時間（シャッタースピード）を制御する、いわゆる電子シャッター機能を有している。
【００１０】
撮像素子２の受光面に結像された被写体像は、各画素センサで光の入射光量に応じた量の信号電荷に変換され、撮像信号として順次読み出される。撮像素子２から出力された撮像信号は、Ａ／Ｄ変換器３によってディジタル信号に変換された後に、メモリ４に格納される。メモリ４に記憶された画像データ信号は画像処理回路５に入力され、輝度（Ｙ）信号生成回路および色差（Ｃ）信号生成回路や、圧縮解凍回路その他の信号処理回路によって処理されて、予め決められた形式（例えば、ＪＰＥＧ）の画像データに変換される。変換後の画像データは、外部記憶回路６またはメモリ４に記憶される。画像処理回路５は、外部記憶回路６に記録されている圧縮データを読み出して伸長する際の伸長処理も行う。外部記憶回路６は、たとえば、メモリカードなどのデータストレージ部材によって構成される。
【００１１】
ＣＰＵ１２は、ＡＥ／ＡＷＢ回路７と、バンドパスフィルタ９と、積算回路１０と、ＡＦ回路１１とを含む。ＣＰＵ１２は、コントロール回路８およびメモリ４などと接続され、電子カメラの焦点検出(ＡＦ)や測光(ＡＥ)、ホワイトバランス調整(ＡＷＢ)などの各種演算とカメラ動作のシーケンス制御とを行う。ＣＰＵ１２には、不図示の操作部材から各種操作信号が入力される。ＣＰＵ１２は、操作部材から入力される操作信号に応じて、電子カメラの焦点検出制御、露出制御、およびカラーバランス制御を総括的に管理する。
【００１２】
ＡＥ／ＡＷＢ回路７は、周知の露出演算やホワイトバランス調整処理を行う。ホワイトバランス調整処理は、メモリ４に格納されている画像データに対して行われる。バンドパスフィルタ９は、メモリ４に格納されている画像処理前の画像データのうち、焦点検出領域（フォーカスエリア）に対応する画像データから高周波数成分を抽出するフィルタである。バンドパスフィルタ９によるフィルタ処理後の画像データは、フィルタ処理前の画像データに比べて、低周波数成分、特に直流成分が除去されている。
【００１３】
積算回路１０は、フォーカスエリアに含まれる画素に対応する画像データに関して、上記フィルタ処理後の高周波数成分による差分の絶対値を積算する。ＡＦ回路１１は、積算回路１０による積算値を用いて焦点評価値を得る。本実施の形態では、バンドパスフィルタ９，積算回路１０によるフィルタ処理および積算処理をＣＰＵ１２によるソフトウェアで処理しているが、これらの機能をハードウェアで実現するように構成しても良い。
【００１４】
図２は、撮影レンズ１に設けられたフォーカスレンズの位置と焦点評価値との関係の一例を示す図である。図２において、横軸はフォーカスレンズの位置であり、縦軸は焦点評価値である。焦点評価値を最大にするレンズ位置Ｄ１は、被写体に対するフォーカスレンズの合焦位置である。
【００１５】
焦点評価値の演算は、たとえば、フォーカスレンズを至近端から∞（無限遠）端に向けてサーチ移動させながら行う。ＡＦ回路１１が繰り返し焦点評価値を算出する場合の算出レートは、撮像素子２による撮像時間、フィルタ処理および積算値演算に要する時間によって決定される。したがって、図２において黒丸で示すように、焦点評価値は算出レートごとの離散データとしてプロットされる。黒丸の横軸方向の間隔は、焦点評価値が算出される間にフォーカスレンズが移動した距離（単位距離）を表す。
【００１６】
ＡＦ回路１１は、焦点評価値曲線の最大点を含むＰ１〜Ｐ３の３点について、いわゆる３点内挿演算を行って焦点評価値曲線の極大点に対応する合焦レンズ位置Ｄ１を算出する。合焦レンズ位置Ｄ１は、最大点Ｐ２と点Ｐ３とを通る傾きαの直線と、点Ｐ１を通る傾き−αの直線との交点に対応する。この合焦レンズ位置Ｄ１は、撮像素子２によって撮像される被写体像のエッジのボケをなくし、画像のコントラストを最大にする位置である。
【００１７】
姿勢検出回路１５は、カメラに設けられた姿勢検出センサ（不図示）の出力信号に基づいて、カメラの姿勢が横位置か縦位置かを検出するとともに、各位置における天側および地側を検出する。ここで、横位置とはカメラ底面が地側を向いた正立状態でカメラを構えた場合を指し、縦位置とは正立状態から９０度回転してカメラの上面および底面を左右方向に向けて構えたときの姿勢を指す。
【００１８】
図３は、カメラの姿勢を横位置とした場合の撮影画面３０と被写体（人物）３２との関係を示したものである。撮影画面３０は撮像素子２の撮像領域に対応し、その撮像領域の長手方向はカメラ左右方向に一致しているので、撮影画面３０の長手方向もカメラ左右方向に一致している。そのため、撮影画面３０は横長となり、撮影画面３０の中央には横長の焦点検出領域３１が設定されている。「焦点検出領域３１の設定」とは、画像信号の中から焦点評価値を求める範囲を設定することであり、ここでは、撮影画面３０の中央の矩形領域（焦点検出領域３１）内の画像信号を用いて焦点評価値を算出することが設定される。この状態では、被写体３２は撮影画面３０の中央に捉えられ、焦点検出領域３１に入っている人物の胸より上の部分にピントが合うように合焦動作が行われる。カメラの姿勢を縦位置とすると、撮影画面３０は９０度回転した縦長状態となる。
【００１９】
図３において、図示上側が撮影画面３０の天側であり、図示下側が撮影画面３０の地側である。一方、カメラの姿勢が縦位置となって撮影画面が９０度回転した縦長となった場合も天地の関係は変わらず、図示上側が天側で、図示下側が地側である。すなわち、カメラの姿勢が横位置の場合には、姿勢検出回路１５は撮影画面３０の下側の長辺を地側と判定し、上側の長辺を天側と判定する。また、カメラの姿勢が縦位置である場合には、姿勢検出回路１５は、撮影画面３０の上側の短辺を天側、下側の短辺を地側と判定する。後述するように、本実施の形態では、カメラの姿勢が縦位置となった場合には、撮影画面内における焦点検出領域の範囲を天側へと移動または拡大する。
【００２０】
《ＡＦ処理の説明》
次いで、カメラのＣＰＵ１２で行われるＡＦ処理について、図４のフローチャートを用いて説明する。図４による処理は、たとえば、不図示のレリーズスイッチから半押し操作信号がＣＰＵ１２に入力されると開始される。ステップ＃１において、ＣＰＵ１２は、ＡＦ処理に必要なデータやフラグ類を初期化してステップ＃２へ進む。
【００２１】
ステップ＃２では、姿勢検出回路１５からの信号に基づいてカメラの姿勢状態を判断する。ここの処理で判断する状態としては、姿勢の横位置・縦位置、およびその横位置・縦位置における撮影画面３０の天側・地側がある。ステップ＃３では、ステップ＃２の判断結果に基づいて焦点検出領域３１を設定する。すなわち、画像信号の中から焦点評価値を求める範囲を設定する。
【００２２】
カメラ姿勢が横位置の場合、矩形の焦点検出領域３１は、図５に示すようにその中央が撮影画面３０の中央３００と一致するように設定される。なお、焦点検出領域３１の中央と撮影画面３０の中央３００とを完全に一致させることができなくて、画素単位で数個程度ずれが生じていても、この場合もほぼ一致しているものと見なす。ここでは、撮影画面３０の長辺３０Ａはカメラ上面側に対応し、長辺３０Ｃはカメラ底面側に対応し、短辺３０Ｂ，３０Ｄはカメラの左右側面に対応していると仮定する。すなわち、横位置の場合にはカメラ底面側に対応する長辺３０Ｃが地側に設定される。
【００２３】
一方、カメラ姿勢が縦位置の場合には、図６に示すように焦点検出領域３１が設定される。ここでは、カメラ姿勢はカメラ底面が左側を向くような姿勢となっており、撮影画面３０はカメラ左側面に対応する短辺３０Ｂが天側となるように設定される。また、焦点検出領域３１は、焦点検出領域３１の中央３１０が撮影画面中央３００よりも天側に距離Ｌだけ移動した位置に設定される。
【００２４】
図７は、図６のように焦点検出領域３１を設定した場合の、焦点検出領域３１と主要被写体との関係を説明する図である。被写体３２は人物であって、人物撮影の場合には顔３２ａの部分が主要被写体となる。このように、縦位置撮影の場合には、主要被写体３２ａが撮影画面３０の天側短辺３０Ａ寄りに位置する場合が多い。また、撮影画面３０の地側には、主要被写体３２ａよりも近い位置に、被写体３２とは異なる被写体が存在する場合が多い。
【００２５】
しかし、本実施の形態では焦点検出領域３１を撮影画面３０の中央３００から距離Ｌだけ天側（図示上方）に設定しているため、主要被写体３２ａが焦点検出領域３１に捉えられている。その結果、主要被写体３２ａにピントのあった画像を得ることができる。また、焦点検出領域３１が天側に移動されて天側に偏っているため、地側短辺３０Ｄ付近にある近い被写体にピントが合ってしまうのを防止することができる。
【００２６】
焦点検出領域３１の移動量Ｌは、焦点検出領域３１の大きさに応じて撮影画面３００の長辺３０Ａ，３０Ｃの長さＬ０の１／１０〜１／６程度に設定される。たとえば、図６に示すように焦点検出領域３１の大きさが比較的大きい場合には、Ｌ＝Ｌ０／１０に設定され、焦点検出領域３１が小さい場合にはＬ＝Ｌ０／６に設定される。すなわち、焦点検出領域３１が大きい場合には、主要被写体３２ａが天側寄りにあっても焦点検出領域３１で捕捉できる可能性が高いので、移動距離Ｌが小さくても良い。一方、焦点検出領域３１が小さい場合には移動距離Ｌを大きく設定して、天側寄りの主要被写体３２ａを確実に捕捉できるようにしている。
【００２７】
一方、図８は、従来のカメラのように焦点検出領域４１の地側の領域４１１を無効とするような設定を行った場合を示す図である。この場合は、天側に偏っている主要被写体３２ａを、領域大きさが小さくなった焦点検出領域３１によって十分捉えることができない。そのため、主要被写体３２ａにピントが合わないおそれがあった。
【００２８】
図４に戻って、ステップ＃３における焦点検出領域の設定が終了したならば、ステップ＃４へ進む。ステップ＃４では、サーチ動作におけるサーチ開始位置SSLPおよびサーチ終了位置SELPを設定する。このサーチ動作は、最大焦点評価値を算出する際の履歴（例えば、図２の黒丸で示すデータ）を取得するための動作である。本実施の形態では、焦点調節範囲の至近端をサーチ開始位置SSLPに、∞（無限遠）端をサーチ終了位置SELPにそれぞれ設定する。なお、∞端をサーチ開始位置SSLPに、至近端をサーチ終了位置SELPに設定しても良いし、フォーカスレンズのレンズ位置や撮影モード等に応じて、最適な開始位置および終了位置を設定するようにしても良い。
【００２９】
ステップ＃５では、モータ１３に駆動信号を出力し、フォーカスレンズ（不図示）をサーチ開始位置SSLPに移動させる。図９は、ＡＦ処理の経過時間（横軸）とフォーカスレンズ位置（縦軸）との関係を示す図である。図９において、タイミングｔ１からモータ１３が移動開始され、タイミングｔ２においてフォーカスレンズがサーチ開始位置SSLP（ここでは至近端）に到達する。
【００３０】
図４のステップ＃６では、レンズ移動速度設定を行う。サーチ開始位置からサーチ終了位置までのフォーカスレンズのサーチ移動時間は、ここで設定する移動速度LMVによって決定される。焦点調節時間はこのレンズ移動速度LMVに大きく依存しており、レンズ移動速度LMVが速ければ、焦点調節に要する時間も短くなる。また、焦点評価値の算出レートを一定とした場合、レンズ移動速度LMVを遅くすると図９における焦点評価値履歴データ数（黒丸の個数）が多くなり、レンズ移動速度LMVを速くすると焦点評価値履歴データ数が少なくなる。レンズ移動速度LMVは、焦点評価値曲線の「山」（図２参照）を構成するデータ数が少なくとも３点以上になるように設定するのが好ましい。
【００３１】
ステップ＃７では、メモリ４に記憶された画像データの内から焦点検出領域３１の画像に対応する画像データを抽出し、バンドパスフィルタ９でフィルタ処理した後に、積分回路１０による積分処理を行って焦点評価値AFvalを算出する。そして、この焦点評価値AFvalを焦点検出領域３１の焦点評価値履歴データとして、フォーカスレンズ位置情報と関連づけて記憶する。
【００３２】
ここでは、メモリ４にいったん記憶した画像データに関して焦点評価値を計算するようにしているが、Ａ／Ｄ変換器３で変換したデータをバンドパスフィルタ９へ逐次送り、データ転送と同時に焦点評価値を計算するようにしても良い。このようにバンドパスフィルタ９へ逐次データ転送を行う構成とすることにより、メモリ４に一旦記憶してそれから読み込む場合に比べて、焦点評価値の計算遅れを防止することができる。
【００３３】
ステップ＃８では、モータ１３に駆動信号を出力してステップ＃９へ進む。これにより、フォーカスレンズが上記レンズ移動速度LMVで移動開始される。ステップ＃９では、フォーカスレンズの位置がサーチ終了端SELPか否かを判定する。ステップ＃９でフォーカスレンズ位置がサーチ終了位置SELPであると判定されると、ステップ＃１０へ進む。一方、フォーカスレンズ位置がサーチ終了位置SELPでないと判定されると、ステップ＃７へ戻る。
【００３４】
以上のステップ＃７〜ステップ＃９の処理により、フォーカスレンズがサーチ開始位置SSLPからサーチ終了位置SELPまでサーチ移動する間（図９のタイミングｔ３〜タイミングｔ４）に、図２の黒丸で示す焦点評価値履歴データが複数取得される。図９における黒丸は、焦点評価値履歴データが算出されるタイミングを表す。
【００３５】
図４のステップ＃１０では、焦点評価値履歴データの最大値があらかじめ定められる所定のレベル以上か否かを判定する。ステップ＃１０で焦点評価値履歴データに所定レベル以上の焦点評価値が含まれると判定されるとステップ＃１１へ進み、焦点評価値履歴データに所定レベル以上の焦点評価値が含まれていないと判定されるとステップ＃１３へ進む。ここで、ステップ＃１１へ進む場合は、焦点検出処理に必要なコントラスト情報が得られる場合である。一方、ステップ＃１３へ進む場合は、被写体が白壁や黒壁などのためコントラストが低い場合である。コントラストが低い場合には、焦点評価値の最大点がノイズなどによって生じるため、偽合焦のおそれがある。
【００３６】
ステップ＃１０からステップ＃１３へ進んだ場合には、ステップ＃１３において、焦点調節不能とみなしていわゆるローコントラスト処理を行う。ＣＰＵ１２は、モータ１３にレンズ駆動信号を出力し、フォーカスレンズ（不図示）をサーチ終了位置SELPから所定のレンズ位置（たとえば、撮影距離１ｍ〜３ｍのいずれか）に移動させ、図４による処理を終了する。
【００３７】
一方、ステップ＃１０からステップ＃１１へ進んだ場合には、ステップ＃１１において合焦位置の計算を行う。ここでは、図２で説明した３点内挿演算により、焦点評価値曲線の極大点に対応する合焦レンズ位置Ｄ１を算出する。このとき、焦点評価値履歴データの極大のものを含むＰ１〜Ｐ３の３点の焦点評価値履歴データを用いて計算を行う。
【００３８】
ステップ＃１２では、モータ１３にレンズ駆動信号を出力し、フォーカスレンズをサーチ終了位置SELPから合焦レンズ位置Ｄ１に移動させ、図４による処理を終了する。すなわち、図９において、タイミングｔ５からモータ１３が移動開始され、フォーカスレンズが合焦レンズ位置Ｄ１に到達する（タイミングｔ６）。
【００３９】
［変形例１］
上述した実施の形態では、図６に示したように、撮影画面３０内に一つの焦点検出領域３１を設定したが、図１０に示す変形例１のように複数設定しても良い。図１０に示す例では、５つの焦点検出領域５１Ａ〜５１Ｄが設けられており、中央の焦点検出領域５１Ａの上下に焦点検出領域５１Ｂ，５１Ｃが配置され、焦点検出領域５１Ａの左右に焦点検出領域５１Ｄ，５１Ｅが配置されている。ここでは、焦点検出領域の数を５個としたが、５個に限らず２つ以上の焦点検出領域を有するものに適用することができる。
【００４０】
図１０はカメラ姿勢が図６の場合と同様の縦位置である場合を示したものであって、この場合、５つの焦点検出領域５１Ａ〜５１Ｄ全体の中央５１０は、撮影画面３０の中央３００に対して天側に距離Ｌだけ移動している。カメラ姿勢が横位置の場合には、カメラ上面に対応する右側長辺３０Ａが天側となる。そして、焦点検出領域５１Ａ〜５１Ｄは、焦点検出領域５１Ａ〜５１Ｄ全体の中央５１０が撮影画面３０の中央３００と一致するように設定される。
【００４１】
［変形例２］
図１１は本実施の形態の第２の変形例を示す図であり、図１０の場合と同様にカメラ姿勢が縦位置の場合を示したものである。図１１において、２点鎖線で示す領域３１は、カメラ姿勢が横位置の場合の焦点検出領域を表しており、この焦点検出領域３１の中央は撮影画面３０の中央３００と一致している。
【００４２】
一方、縦位置姿勢の場合の焦点検出領域は符号６１で示す領域であり、焦点検出領域６１の地側境界６１Ａは焦点検出領域３１の地側境界３１Ａを天側に距離Ｌ１だけ移動したものである。また、焦点検出領域６１の天側境界６１Ｂは焦点検出領域３１の天側境界３１Ｂを天側に距離Ｌ２だけ移動したものである。ここで、移動距離Ｌ１，Ｌ２はＬ２＞Ｌ１のように設定され、移動後の焦点検出領域６１の大きさは焦点検出領域３１よりも大きく設定される。
【００４３】
また、焦点検出領域３１の大きさに応じて移動距離Ｌ１，Ｌ２を設定するようにしても良い。例えば、焦点検出領域３１が小さい場合には、大きい場合に比べて地側の移動距離Ｌ１を小さく設定し、逆に天側の移動距離Ｌ２を大きく設定する。そのため、焦点検出領域３１が比較的小さい場合でも、より確実に天側の主要被写体を捉えること可能となる。ここでは、焦点検出領域３１が一つの場合について説明したが、図１０の場合と同様に複数ある場合にも適用できる。
【００４４】
上述した実施の形態において、レンズ移動速度LMVは、撮影レンズの焦点深度に応じて変更してもよい。この場合には、焦点深度が深いほどレンズ移動速度を速く、焦点深度が浅いほどレンズ移動速度を遅くする。これにより、焦点評価値が算出される間にフォーカスレンズが移動する距離（単位距離）は、焦点深度が深いほど長くなる。一般に、焦点深度が深い場合は焦点評価値曲線の「山」の半値幅が広くなるので、レンズ移動速度を速めることによって焦点検出処理に要する時間を短縮できる。
【００４５】
また、レンズ移動速度LMVを撮影レンズの開放Ｆ値に応じて変更してもよい。この場合には、開放Ｆ値が大きいほどレンズ移動速度を速く、開放Ｆ値が小さいほどレンズ移動速度を遅くする。これにより、焦点評価値が算出される間にフォーカスレンズが移動する距離（単位距離）は、開放Ｆ値が大きいほど長くなる。一般に、開放Ｆ値が大きいと焦点深度が深くなるので焦点評価値曲線の「山」の半値幅が広くなる。したがって、レンズ移動速度を速めることによって焦点検出処理に要する時間を短縮できる。
【００４６】
さらに、電子カメラに限らず、銀塩カメラの焦点検出装置に本発明を適用してもよい。また、本発明の特徴を損なわない限り、本発明は上記実施の形態に何ら限定されるものではない。
【００４７】
以上説明した実施の形態と特許請求の範囲の要素との対応において、ＣＰＵ１２は焦点検出手段および変更手段を、地側境界３１Ａ，６１Ａは焦点検出領域の地側の範囲を規定する境界を、天側境界３１Ｂ，６１Ｂは焦点検出領域の天側の範囲を規定する境界をそれぞれ構成する。
【図面の簡単な説明】
【００４８】
【図１】本発明によるカメラの一実施の形態を説明するブロック図である。
【図２】フォーカスレンズの位置と焦点評価値との関係を示す図である。
【図３】カメラを横位置とした場合の、撮影画面３０と被写体（人物）３２との関係を示す図である。
【図４】カメラのＣＰＵ１２で行われるＡＦ処理の手順を示すフローチャートである。
【図５】横位置の場合の撮影画面３００および焦点検出領域３１を示す図である。
【図６】縦位置の場合の撮影画面３００および焦点検出領域３１を示す図である。
【図７】縦位置における焦点検出領域３１と主要被写体３２ａとの関係を示す図である。
【図８】従来のカメラのように焦点検出領域４１の地側の領域を４１１を無効とするような設定を行った場合を示す図である。
【図９】ＡＦ処理の経過時間（横軸）とフォーカスレンズ位置（縦軸）との関係を示す図である。
【図１０】変形例１を示す図である。
【図１１】変形例２を示す図である。
【符号の説明】
【００４９】
１  撮影レンズ
２  撮像素子
３  Ａ／Ｄ変換器
４  メモリ
５  画像処理回路
７  ＡＥ／ＡＷＢ回路
８  コントロール回路
９  バンドパスフィルタ
１０  積算回路
１１  ＡＦ回路
１２  ＣＰＵ
１３  モータ
１４  フォーカス制御機構
１５  姿勢検出回路
３０  撮影画面
３１，４１，５１Ａ〜５１Ｄ，６１  焦点検出領域
３１Ａ，６１Ａ  地側境界
３１Ｂ，６１Ｂ  天側境界
３２  被写体
３２ａ  主要被写体
【図１】
2006138899.tif 000003
【図２】
2006138899.tif 000004
【図３】
2006138899.tif 000005
【図４】
2006138899.tif 000006
【図５】
2006138899.tif 000007
【図６】
2006138899.tif 000008
【図７】
2006138899.tif 000009
【図８】
2006138899.tif 000010
【図９】
2006138899.tif 000011
【図１０】
2006138899.tif 000012
【図１１】
2006138899.tif 000013